(57)【要約】【課題】名刺本人または所定の催し物の主催者は、誰が自分のことを紹介してくれたのかを知ることができる名刺、および名刺の管理システムを提供する。【解決手段】１枚のシートから形成されて名刺本人から他人に渡される名刺１００が、１枚のシート上に形成された切り取り誘導線１１０と、切り取り誘導線１１０を基準としたシートの一方を形成する第１のカード部１２０と、切り取り誘導線１１０を基準としたシートの他方を形成する第２のカード部１３０とを備え、第１のカード部１２０が、名刺本人の会社名の情報１２１および氏名の情報１２２の少なくとも一方を有し、第２のカード部１３０が、名刺本人に関係する情報１３１または所定の催し物に関する情報１３２と、他人を紹介者としてさらに別の人に第２のカード部１３０を渡す際に紹介者の氏名を記入するための紹介者氏名記入欄１３３とを有している。【選択図】図２
2019014119.tif 000002
【特許請求の範囲】
【請求項１】
１枚のシートから形成されて名刺本人から他人に渡される名刺において、
前記１枚のシート上に形成された切り取り誘導線と、
前記切り取り誘導線を基準としたシートの一方を形成する第１のカード部と、
前記切り取り誘導線を基準としたシートの他方を形成する第２のカード部とを備え、
前記第１のカード部が、前記名刺本人の会社名および氏名の少なくとも一方の情報を有し、
前記第２のカード部が、前記名刺本人に関係する情報または所定の催し物に関する情報と、前記他人を紹介者としてさらに別の人に第２のカード部を渡す際に紹介者の氏名を記入するための紹介者氏名記入欄とを有していることを特徴とする名刺。
【請求項２】
前記第２のカード部が、前記他人および別の人に対して所定の行動を要請する行動要請情報を有していることを特徴とする請求項１に記載の名刺。
【請求項３】
前記第１のカード部が、前記紹介者の特典情報を有していることを特徴とする請求項１または請求項２に記載の名刺。
【請求項４】
前記切り取り誘導線に沿って切り取られた第２のカード部の紹介者氏名記入欄には、前記紹介者の氏名が記入され、
前記切り取られた第２のカード部が、前記他人から別の人へ渡されて、前記別の人が名刺本人と接触するまたは所定の催し物に参加する際、前記第２のカード部の紹介者氏名記入欄に記入された氏名が、前記他人の名刺のリストの氏名と照合されることを特徴とする請求項１乃至請求項３のいずれか１つに記載の名刺。
【請求項５】
１枚のシート上に形成された切り取り誘導線と、切り取り誘導線を基準としたシートの一方を形成する第１のカード部と、切り取り誘導線を基準としたシートの他方を形成する第２のカード部とを備え、第１のカード部が、名刺本人の会社名および氏名の少なくとも一方の情報を有し、第２のカード部が、名刺本人に関係する情報または所定の催し物に関する情報と、他人を紹介者としてさらに別の人に第２のカード部を渡す際に紹介者の氏名を記入するための紹介者氏名記入欄とを有している名刺の管理システムであって、
前記他人と名刺交換して得た他人の名刺をリスト化する名刺リスト化手段と、
前記切り取り誘導線に沿って切り取られた第２のカード部の紹介者氏名記入欄を参照して入力された氏名を、リスト化した他人の名刺のリストの氏名と照合する照合手段とを備えていることを特徴とする名刺の管理システム。
【発明の詳細な説明】
【技術分野】
【０００１】
本発明は、１枚のシートから形成されて名刺本人から他人に渡される名刺、およびその名刺の管理システムに関する。
【背景技術】
【０００２】
従来、広告が記載された名刺が知られている（例えば、特許文献１）。
【先行技術文献】
【特許文献】
【０００３】
【特許文献１】特開２００７−１４０６６７号公報（特に図３参照）
【発明の概要】
【発明が解決しようとする課題】
【０００４】
しかしながら、上述した従来の名刺は、紹介者の氏名を記入する欄を有さない構成であったため、名刺交換した相手から別の人に渡されて、この別の人に持参されてセミナーなどの催し物で提示されたとき、名刺本人または所定の催し物の主催者は、誰が自分のことを紹介してくれたのかを知ることが困難であるという問題があった。
【０００５】
そこで、本発明は、前述したような従来技術の問題を解決するものであって、すなわち、本発明の目的は、名刺本人または所定の催し物の主催者は、誰が自分のことを紹介してくれたのかを知ることができる名刺、および名刺の管理システムを提供することである。
【課題を解決するための手段】
【０００６】
（１）本発明に係る名刺は、１枚のシートから形成されて名刺本人から他人に渡される。前記１枚のシート上に形成された切り取り誘導線と、前記切り取り誘導線を基準としたシートの一方を形成する第１のカード部と、前記切り取り誘導線を基準としたシートの他方を形成する第２のカード部とを備え、前記第１のカード部が、前記名刺本人の会社名および氏名の少なくとも一方の情報を有し、前記第２のカード部が、前記名刺本人に関係する情報または所定の催し物に関する情報と、前記他人を紹介者としてさらに別の人に第２のカード部を渡す際に紹介者の氏名を記入するための紹介者氏名記入欄とを有している。
【０００７】
この名刺によれば、別の人が名刺本人と接触してまたは所定の催し物に参加して第２のカード部を提示したときに紹介者氏名記入欄に紹介者の名前が記入されているため、名刺本人または所定の催し物の主催者は、誰が自分のことを紹介してくれたのかを知ることができる。また、別の人が所定の催し物にインターネットサイトにおいて申し込むときに第２のカード部の紹介者氏名記入欄に記入された紹介者の氏名が参照されて紹介者の氏名が入力されるため、所定の催し物の主催者は、誰が自分のことを紹介してくれたのかを知ることができる。さらに、名刺本人は、通常、後に紹介者となる他人と名刺交換して紹介者の名刺を持っているため、既に所有している紹介者の名刺と照らし合わせて第２のカード部に記載された紹介者の氏名を確認し、必要に応じてお礼など連絡することができる。
【０００８】
（２）前記した名刺は、請求項１に記載された名刺の構成に加えて、前記第２のカード部が、前記他人および別の人に対して所定の行動を要請する行動要請情報を有している。
【０００９】
この名刺によれば、少なくとも第２のカード部を受け取った他人および別の人に対して行動要請情報が伝わるため、他人および別の人に対して所定の行動を促すことができる。
【００１０】
（３）前記した名刺は、請求項１または請求項２に記載された名刺の構成に加えて、前記第１のカード部が、前記紹介者の特典情報を有している。
【００１１】
この名刺によれば、紹介者が切り取り誘導線に沿って第２のカード部を切り取って第２のカード部のみを別の人に渡すと、他方の第１のカード部が紹介者の手元に残るため、紹介者の特典情報が別の人に知られずに済み、別の人への紹介を促進させることができる。
【００１２】
（４）前記した名刺は、請求項１乃至請求項３のいずれか１つに記載された名刺の構成に加えて、前記切り取り誘導線に沿って切り取られた第２のカード部の紹介者氏名記入欄には、前記紹介者の氏名が記入され、前記切り取られた第２のカード部が、前記他人から別の人へ渡されて、前記別の人が名刺本人と接触するまたは所定の催し物に参加する際、前記第２のカード部の紹介者氏名記入欄に記入された氏名が、前記他人の名刺のリストの氏名と照合される。
【００１３】
この名刺によれば、請求項１乃至請求項３のいずれか１つに係る発明が奏する効果に加えて、第２のカード部の紹介者氏名記入欄に記入された氏名が、既に所有している他人の名刺のリストの氏名と照合されるため、名刺本人または所定の催し物の主催者は、第２のカード部に記載された紹介者の氏名を確認し、必要に応じてお礼など連絡することができる。
【００１４】
（５）本発明に係る名刺の管理システムは、１枚のシート上に形成された切り取り誘導線と、切り取り誘導線を基準としたシートの一方を形成する第１のカード部と、切り取り誘導線を基準としたシートの他方を形成する第２のカード部とを備え、第１のカード部が、名刺本人の会社名および氏名の少なくとも一方の情報を有し、第２のカード部が、名刺本人に関係する情報または所定の催し物に関する情報と、他人を紹介者としてさらに別の人に第２のカード部を渡す際に紹介者の氏名を記入するための紹介者氏名記入欄とを有している名刺の管理システムであって、前記他人と名刺交換して得た他人の名刺をリスト化する名刺リスト化手段と、前記切り取り誘導線に沿って切り取られた第２のカード部の紹介者氏名記入欄を参照して入力された氏名を、リスト化した他人の名刺のリストの氏名と照合する照合手段とを備えていることにより、前述した課題を解決するものである。
【００１５】
この名刺の管理システムによれば、別の人が名刺本人と接触してまたは所定の催し物に参加して第２のカード部を提示したときに紹介者氏名記入欄に紹介者の名前が記入されているため、名刺本人または所定の催し物の主催者は、誰が自分のことを紹介してくれたのかを知ることができる。
また、別の人が所定の催し物にインターネットサイトにおいて申し込むときに第２のカード部の紹介者氏名記入欄に記入された紹介者の氏名が参照されて紹介者の氏名が入力されるため、所定の催し物の主催者は、誰が自分のことを紹介してくれたのかを知ることができる。
さらに、名刺本人は、通常、後に紹介者となる他人と名刺交換して紹介者の名刺を持っているため、既に所有している紹介者の名刺と照らし合わせて第２のカード部に記載された紹介者の氏名を確認し、必要に応じてお礼など連絡することができる。
【発明の効果】
【００１６】
本発明は、名刺本人または所定の催し物の主催者は、誰が自分のことを紹介してくれたのかを知ることができる名刺、および名刺の管理システムを提供することである。
【図面の簡単な説明】
【００１７】
【図１】本発明の第１実施例である名刺を示す斜視図。
【図２】（Ａ）（Ｂ）は本発明の第１実施例である名刺の外側面および内側面を示す図。
【図３】（Ａ）〜（Ｄ）は本発明の第１実施例である名刺の第１のカード部および第２のカード部のそれぞれの表面および裏面を示す図。
【図４】名刺交換した相手の氏名のリストを示す図。
【図５】本発明の第１実施例である名刺の行動要請情報に基づいてセミナーの申し込みをする際のネットワークを示す概念図。
【図６】（Ａ）（Ｂ）はインターネットにおけるセミナー申し込み画面を示す図。
【図７】（Ａ）（Ｂ）は本発明の第２実施例である名刺の外側面および内側面を示す図。
【図８】（Ａ）（Ｂ）は本発明の第３実施例である名刺の外側面および内側面を示す図。
【発明を実施するための形態】
【００１８】
本発明の実施形態に係る名刺において、名刺における情報の記録の仕方は、印刷でもよいし、名刺に埋め込まれたＩＣタグに電磁的方法によるものでもよい。
さらに、切り取り誘導線の形態は、所望の線に沿って所定間隔で切断されて切り取り容易な所謂、ミシン目や切り取り線でもよく、所望の線の肉厚を他の箇所より薄くして所望の線に沿って切り取り容易にしたものでもよい。
また、切り取り誘導線は、シートの縁から他の箇所の縁へ延設されたものでもよいし、シート内で閉じて所定の形状を構成するように延設されたものでもよい。
言い換えると、シートを縦断または横断する切り取り誘導線に沿って切ることにより、第１のカード部と第２のカード部とを左右または上下に分離する構成でもよいし、シートの内部の閉じた形状を構成する切り取り誘導線に沿って切ることにより、第１のカード部および第２のカード部の一方から他方をくり抜いて分離する構成でもよい。
さらに、紹介者氏名記入欄は、紹介者氏名を記入する部分であればよく、線で示された枠で区切られた部分や色で分けられた部分など如何なるものであってもよい。
名刺の形態について、１枚のシートを２つ折りにしたものや３つ折りにしたもの、折っていないものなど、折り加工の有無はどちらでもよい。
また、本明細書において、催し物に関する情報には、セミナーや展示会に関する情報、美容室や飲食店などのサービスを提供する店舗におけるサービスに関する情報、美容室や飲食店などの店舗が提供するサービスについてのキャンペーンに関する情報が含まれる。
本発明の特定の実施形態についての以下の説明は、例示を目的として提示したものであり、記載した形態そのままに本発明を制限したりすることを意図したものではく、数多くの変形や変更が、特許請求の範囲の記載内容に照らして可能である。
【実施例１】
【００１９】
以下に、本発明の第１実施例である２つ折り名刺１００について、図１乃至図６に基づいて説明する。
ここで、図１は、本発明の第１実施例である名刺１００を示す斜視図であり、図２（Ａ）は、本発明の第１実施例である２つ折り名刺１００の外側面であり、図２（Ｂ）は、本発明の第１実施例である２つ折り名刺１００の内側面を示す図であり、図３（Ａ）は、本発明の第１実施例である名刺１００の第１のカード部１２０の表面（外側面）であり、図３（Ｂ）は、本発明の第１実施例である名刺１００の第１のカード部１２０の裏面（内側面）であり、図３（Ｃ）は、本発明の第１実施例である名刺１００の第２のカード部１３０の表面（外側面）であり、図３（Ｄ）は、本発明の第１実施例である名刺１００の第２のカード部１３０の裏面（内側面）であり、図４は、名刺交換した相手の氏名のリストＬＴを示す図であり、図５は、本発明の第１実施例である名刺１００の行動要請情報１３４に基づいてセミナーの申し込みをする際のネットワークを示す概念図であり、図６（Ａ）は、インターネットＮＴにおけるセミナー紹介画面ＳＭを示す図であり、図６（Ｂ）は、インターネットＮＴにおけるセミナー申し込み画面ＡＰを示す図である。
【００２０】
本発明の第１実施例である名刺１００は、図１乃至図２（Ｂ）に示すように、切り取り誘導線１１０と、第１のカード部１２０と、第２のカード部１３０とを備え、名刺本人から他人に渡されるものである。
このうち、切り取り誘導線１１０は、１枚のシート上に一例として所定間隔で切断されて切り取り容易な所謂、ミシン目や切り取り線として形成されている。
【００２１】
本実施例において、切り取り誘導線１１０は、一例として、長方形のシートの長辺である上辺から底辺へ延設されている。
また、第１のカード部１２０は、切り取り誘導線１１０を基準としたシートの一方を形成するように構成されている。
同様に、第２のカード部１３０は、切り取り誘導線１１０を基準としたシートの他方を形成するように構成されている。
【００２２】
そして、本実施例では、一例として、シートが切り取り誘導線１１０に沿って折り曲げられ、第１のカード部１２０は、切り取り誘導線１１０を軸に第２のカード部１３０に対して揺動自在に設けられている。
言い換えると、名刺１００は、所謂、２つ折りの構成である。
名刺１００が２つ折りの状態において、名刺１００の長辺は、約８５．６０ｍｍであり、短辺は、約５３．９８ｍｍであり、一般的なクレジットカード等と同程度である。
名刺１００が２つ折りの状態において、名刺１００の長辺は、８０〜１００ｍｍ程度であり、短辺は、４５〜６０ｍｍ程度であることが望ましい。
これにより、一般的な名刺入れ、カードケース、定期入れ、スマートフォンケースや財布などに収納することができる。
本実施例では、説明を容易にするために、仮想的な見分け用マークＭＫ１が、第１のカード部１２０の角に設けられている。
【００２３】
さらに、第１のカード部１２０が、名刺本人の会社名の情報１２１と、氏名の情報１２２と、連絡先情報１２３とを有している。
具体的に、２つ折りの名刺１００の外側面の第１のカード部１２０には、一例として「株式会社Ｈｏｗ  ｔｏ  Ｕｓｅ」の旨の名刺本人の会社名の情報１２１、一例として「名刺太郎」の旨の氏名の情報１２２、および電話番号、ＦＡＸ番号、電子メールアドレスなどの連絡先情報１２３が、印刷により記載されている。
また、２つ折りの名刺１００の内側面の第１のカード部１２０には、外側面と同様、住所、電話番号、ＦＡＸ番号、電子メールアドレスなどの連絡先情報１２３が、印刷により記載されている。
【００２４】
他方、第２のカード部１３０が、名刺本人に関係する情報１３１と、所定の催し物に関する情報１３２と、他人を紹介者としてさらに別の人に第２のカード部１３０を渡す際に紹介者の氏名を記入するための紹介者氏名記入欄１３３とを有している。
具体的に、２つ折りの名刺１００の外側面の第２のカード部１３０には、一例として「本人の上半身の写真」や「セミナーへの思い」である名刺本人に関係する情報１３１、一例として「アイディア事業家セミナー」のセミナー名である所定の催し物に関する情報１３２、および紹介者氏名記入欄１３３が、印刷により記載されている。
また、２つ折りの名刺１００の内側面の第２のカード部１３０には、一例として「アイディア事業家セミナー」のセミナー名や「セミナー紹介」、「応援者」、「セミナーの効果」などの所定の催し物に関する情報１３２が、印刷により記載されている。
本実施例において、名刺本人に関係する情報１３１は、本人の容姿画像の情報であり、所定の催し物に関する情報１３２は、本人が開催するセミナーの情報である。
なお、所定の催し物に関する情報１３２は、名刺本人と直接的に関係があってもよいし、なくてもよい。例えば、名刺本人ではなく他人のセミナーに関する情報であってもよい。
【００２５】
そして、名刺交換した相手（他人）が、別の人に名刺本人のことを紹介する際、名刺交換した相手（他人）は、図３（Ａ）〜図３（Ｄ）に示すように、切り取り誘導線１１０に沿って切って第１のカード部１２０と第２のカード部１３０とを分離し、第２のカード部１３０の紹介者氏名記入欄１３３に自分の氏名を記入してから第２のカード部１３０のみを別の人に渡す。
【００２６】
これにより、別の人が名刺本人と接触してまたは所定の催し物に参加して第２のカード部１３０を提示したときに紹介者氏名記入欄１３３に紹介者の名前が記入されている。
その結果、名刺本人または所定の催し物の主催者は、誰が自分のことを紹介してくれたのかを知ることができる。
さらに、名刺本人は、通常、後に紹介者となる他人と名刺交換しており、紹介者の名刺を持っているため、既に所有している紹介者の名刺と照らし合わせて第２のカード部１３０に記載された紹介者の氏名を確認し、必要に応じてお礼など連絡することができる。
【００２７】
名刺の管理システムは、他人と名刺交換して得た他人の名刺をリスト化する名刺リスト化手段と、切り取り誘導線１１０に沿って切り取られた第２のカード部１３０の紹介者氏名記入欄１３３を参照して入力された氏名を、リスト化した他人の名刺のリストＬＴの氏名と照合する照合手段とを備えている。
例えば、名刺交換して得た相手（他人）の名刺をリスト化する名刺リスト化手段の一例としてスキャナーを用いて、名刺交換した相手（他人）の名刺を、読み取って、図４に示すように、ＣＳＶファイル形式のリストＬＴを作成してもよい。
【００２８】
そして、切り取り誘導線１１０に沿って切り取られた第２のカード部１３０の紹介者氏名記入欄１３３を参照して入力された氏名を、リスト化した他人の名刺のリストＬＴの氏名と照合する照合手段の一例であるコンピュータソフトを用いて照合してもよい。
これにより、自分を紹介してくれたのが、実在の人物であることと、以前に名刺交換した相手のうちのどの人であるかを簡単に照合することができる。
なお、スキャナーなどの読み取り手段により、第２のカード部１３０の紹介者氏名記入欄１３３に記載された紹介者の氏名を読み取ってテキストデータ化してもよい。
このとき、紹介者氏名記入欄１３３の枠の近傍に記載された「紹介者」の文字を認識することにより、どれが紹介者の氏名かを読み取り手段は識別することができる。
【００２９】
リストＬＴにおいて、名刺交換して得た相手（他人）毎に、紹介してくれた別の人の氏名が入力され、その人数に応じてポイントが付与されるように名刺の管理システムを構成してもよい。
例えば、第１のカード部１２０が、紹介者の特典情報１２４を有している。
具体的に、第１のカード部１２０には、一例として「紹介特典  左のカードから申し込みがあれば○○○○をプレゼント」の旨の紹介者の特典情報１２４が、印刷により記載されている。
【００３０】
これにより、紹介者が切り取り誘導線１１０に沿って第２のカード部１３０を切り取って第２のカード部１３０のみを別の人に渡すと、他方の第１のカード部１２０が紹介者の手元に残る。
その結果、紹介者の特典情報１２４が別の人に知られずに済み、別の人への紹介を促進させることができる。
【００３１】
また、本実施例では、第２のカード部１３０が、他人および別の人に対して所定の行動を要請する行動要請情報１３４を有している。
具体的に、２つ折りの名刺１００の外側面の第２のカード部１３０には、行動要請情報１３４が、印刷により記載されている。
行動要請情報１３４は、一例として、パーソナルコンピュータ端末ＰＣやスマートフォン端末ＳＰにおいて「アイディア事業家セミナー」と入力して、インターネット検索するという行動を要請することや、ＱＲコード（登録商標）、ＤａｔａＭａｔｒｉｘ、ＶｅｒｉＣｏｄｅなどの２次元コードを読み込んで所定のセミナーの申し込みフォームにアクセスして紹介者を入力するという行動を要請することである。
これにより、少なくとも第２のカード部１３０を受け取った他人および別の人に対して行動要請情報１３４が伝わる。
その結果、他人および別の人に対して所定の行動を促すことができる。
【００３２】
さらに、本実施例では、第２のカード部１３０が、所定の行動をした場合の別の人にとってのメリット情報１３５を有している。
具体的に、第２のカード部１３０には、一例として「このカードでご紹介を受けられた方  受講料５，０００円が無料」となる旨のメリット情報１３５が、印刷により記載されている。
これにより、別の人にとって所定の行動が魅力的なものになる。
その結果、別の人が所定の行動をとることを促すことができる。
【００３３】
例えば、図５に示すように、名刺交換した相手（他人）から第２のカード部１３０を受け取った別の人が、第２のカード部１３０に記載された名刺本人に関係する情報１３１、所定の催し物に関する情報１３２、行動要請情報１３４に基づいて、スマートフォン端末ＳＰやパーソナルコンピュータ端末ＰＣを用いて、インターネットＮＴでサーバＳＶが有するリソース特定情報であるセミナーについての情報ページにアクセスする。
なお、サーバＳＶは、名刺交換した相手（他人）のリストＬＴのデータＬＤを有している。
【００３４】
すると、スマートフォン端末ＳＰやパーソナルコンピュータ端末ＰＣには、図６（Ａ）に示すセミナー紹介画面ＳＭが表示される。
そして、別の人が、セミナー紹介画面ＳＭの「今すぐ申し込む」のボタンを押すと、スマートフォン端末ＳＰやパーソナルコンピュータ端末ＰＣには、図６（Ｂ）に示す、セミナー申し込み画面ＡＰが表示される。
【００３５】
別の人が、セミナー申し込み画面ＡＰのフォームに各項目に沿って氏名、電子メールアドレス、住所、セミナー参加希望日、紹介者を入力して、「送信」ボタンを押す。
すると、名刺の管理システムは、照合手段を用いて、入力された氏名を、名刺リスト化手段によりリスト化した他人（名刺交換した相手）の名刺のリストＬＴの氏名と照合する。
その結果、セミナーの主催者は、誰が自分のことを紹介してくれたのかを知ることができる。
【００３６】
なお、本実施において、所定の催し物を、一例としてセミナーとして説明したが、これに限らない。
所定の催し物に関する情報は、美容室や飲食店などのサービスを提供する店舗におけるサービスに関する情報、美容室や飲食店などの店舗が提供するサービスについてのキャンペーンに関する情報であってもよい。
例えば、名刺１００が飲食店のものであり、第２のカード部１３０が割り引きクーポンやサービスクーポンであってもよい。
第２のカード部１３０のメリット情報１３５が、「生ビール１杯無料」のサービスクーポンについてであり、来店者（別の人）が第２のカード部１３０を提示すると、生ビール１杯無料のサービスを受けられるようにしてもよい。
そして、第１のカード部１２０の特典情報１２４が、「生ビール１杯無料」のサービスクーポンについてであり、名刺交換した相手（他人）および来店者（別の人）の両者に対して、プレゼントが同じパターンでもよい。
また、例えば、名刺１００が美容室のものであり、第２のカード部１３０のメリット情報１３５が「カット３０％ＯＦＦ」の割り引きクーポンについてであり、来店者（別の人）が第２のカード部１３０を提示すると、カット３０％ＯＦＦの割り引きを受けられるようにしてもよい。
そして、第１のカード部１２０の特典情報１２４が、「紹介した人には次回来店時にシャンプーをプレゼント！」のサービスクーポンについてであり、名刺交換した相手（他人）に対するプレゼントと、来店者（別の人）に対するプレゼントとが異なるパターンでもよい。
また、行動要請情報１３４を、一例としてセミナー検索やセミナー申し込みとして説明したが、メールマガジンの登録でもよい。
行動要請情報１３４の対象は、有料でも無料でもよい。
【００３７】
このようにして得られた本発明の第１実施例である名刺１００によれば、名刺本人または所定の催し物の主催者は、誰が自分のことを紹介してくれたのかを知ることができ、既に所有している紹介者の名刺と照らし合わせて第２のカード部１３０に記載された紹介者の氏名を確認し、必要に応じてお礼など連絡することができる。
【００３８】
さらに、第２のカード部１３０が、他人および別の人に対して所定の行動を要請する行動要請情報１３４を有していることにより、他人および別の人に対して所定の行動を促すことができる。
【００３９】
また、第１のカード部１２０が、紹介者の特典情報１２４を有していることにより、紹介者の特典情報１２４が別の人に知られずに済み、別の人への紹介を促進させることができる。
【００４０】
さらに、切り取り誘導線１１０に沿って切り取られた第２のカード部１３０の紹介者氏名記入欄１３３には、紹介者の氏名が記入され、切り取られた第２のカード部１３０が、他人から別の人へ渡されて、別の人が名刺本人と接触するまたは所定の催し物に参加する際、第２のカード部１３０の紹介者氏名記入欄１３３に記入された氏名が、他人の名刺のリストＬＴの氏名と照合されることにより、名刺本人または所定の催し物の主催者は、第２のカード部１３０に記載された紹介者の氏名を確認し、必要に応じてお礼など連絡することができる。
【００４１】
本発明の第１実施例である名刺の管理システムによれば、既に所有している紹介者の名刺情報と照らし合わせて第２のカード部１３０に記載された紹介者の氏名を確認し、必要に応じてお礼など連絡することができるなど、その効果は甚大である。
【実施例２】
【００４２】
続いて、本発明の第２実施例である名刺２００について、図７（Ａ）および図７（Ｂ）に基づいて説明する。
ここで、図７（Ａ）は、本発明の第２実施例である２つ折り名刺２００の外側面を示す図であり、図７（Ｂ）は、本発明の第２実施例である２つ折り名刺２００の内側面を示す図である。
第２実施例の名刺２００は、第１実施例の名刺１００のシートの形状を変更したものであり、多くの要素について第１実施例の名刺１００と共通するので、共通する事項については詳しい説明を省略し、下２桁が共通する２００番台の符号を付すのみとする。
【００４３】
本発明の第２実施例である名刺２００は、図７（Ａ）および図７（Ｂ）に示すように、切り取り誘導線２１０と、第１のカード部２２０と、第２のカード部２３０とを備えている。
本実施例の２つ折り名刺２００は、２つ折りにした状態で、外側から視て、長方形の第１のカード部２２０の短辺である上辺と、長方形の第２のカード部２３０の短辺である上辺とが繋がって構成されている。
【００４４】
このように、切り取り誘導線２１０の位置が第１実施例の位置と異なっている場合であっても、第１実施例と同様の作用効果を得ることができる。
また、名刺本人に関係する情報２３１、所定の催し物に関する情報２３２、および紹介者氏名記入欄２３３は、第２のカード部２３０に記載されていればよく、表裏のどちらに記載されていてもよい。
【実施例３】
【００４５】
続いて、本発明の第３実施例である名刺３００について、図８（Ａ）および図８（Ｂ）に基づいて説明する。
ここで、図８（Ａ）は、本発明の第３実施例である２つ折り名刺３００の外側面を示す図であり、図８（Ｂ）は、本発明の第３実施例である２つ折り名刺３００の内側面を示す図である。
第３実施例の名刺３００は、第１実施例の名刺１００の縦横の向きを変更したものであり、多くの要素について第１実施例の名刺１００および第２実施例の名刺２００と共通するので、共通する事項については詳しい説明を省略し、下２桁が共通する３００番台の符号を付すのみとする。
【００４６】
本発明の第３実施例である名刺３００は、図８（Ａ）および図８（Ｂ）に示すように、切り取り誘導線３１０と、第１のカード部３２０と、第２のカード部３３０とを備えている。
本実施例の２つ折り名刺３００は、２つ折りにした状態で、外側から視て、長方形の第１のカード部３２０の長辺である上辺と、長方形の第２のカード部３３０の長辺である上辺とが繋がって構成されている。
このように、名刺３００の縦横の向きが第１実施例の向きと異なっている場合であっても、第１実施例と同様の作用効果を得ることができる。
【符号の説明】
【００４７】
１００、２００、３００  ・・・  名刺
１１０、２１０、３１０  ・・・  切り取り誘導線
１２０、２２０、３２０  ・・・  第１のカード部
１２１、２２１、３２１  ・・・  会社名の情報
１２２、２２２、３２２  ・・・  氏名の情報
１２３、２２３、３２３  ・・・  連絡先情報
１２４                  ・・・  特典情報
１３０、２３０、３３０  ・・・  第２のカード部
１３１、２３１、３３１  ・・・  名刺本人に関係する情報
１３２、２３２、３３２  ・・・  所定の催し物に関する情報
１３３、２３３、３３３  ・・・  紹介者氏名記入欄
１３４、２３４、３３４  ・・・  行動要請情報
１３５                  ・・・  メリット情報
ＭＫ１  ・・・  （第１のカード部の）見分け用マーク
ＭＫ２  ・・・  （第２のカード部の）見分け用マーク
ＬＴ    ・・・  （名刺交換した相手の名刺の）リスト
ＳＶ    ・・・  サーバ
ＬＤ    ・・・  （名刺交換した相手の名刺のリストの）データ
ＳＰ    ・・・  スマートフォン端末
ＰＣ    ・・・  パーソナルコンピュータ端末
ＮＴ    ・・・  インターネット
ＳＭ    ・・・  セミナー紹介画面
ＡＰ    ・・・  セミナー申し込み画面
【図１】
2019014119.tif 000003
【図２】
2019014119.tif 000004
【図３】
2019014119.tif 000005
【図４】
2019014119.tif 000006
【図５】
2019014119.tif 000007
【図６】
2019014119.tif 000008
【図７】
2019014119.tif 000009
【図８】
2019014119.tif 000010